(57)【要約】【課題】  比較的小額な商品購入や代金支払いを行う際にも手軽かつ迅速に銀行口座間での決済を行うことが可能な電子決済システムと、電子決済に利用されるレジスター装置を提供する。【解決手段】  電子決済システムは、電気通信回線を介して通信可能なレジスター装置と顧客側端末とネット銀行等サーバとを有し、レジスター装置のコード情報表示画面に表示された商品情報符号を、顧客側端末のコード情報読取手段で読み取り、商品情報符号に基づいてネット銀行等サーバに対して代金振替要求の情報を送信する。ネット銀行等サーバは、振替要求手段から送信される代金振替要求に基づいて、レジスター装置の口座情報および顧客側端末の口座情報が記録された口座データベースにおいて代金振替決済を行う。【選択図】図１
2005092338.tif 000002
【特許請求の範囲】
【請求項１】
電気通信回線を介して通信可能なレジスター装置と顧客側端末と決済サーバーとを有し、
前記レジスター装置は、商品情報符号を表示するためのコード情報表示画面と、前記決済サーバーとの間で情報通信を行うためのレジスター通信手段とを有し、
前記顧客側端末は、前記コード情報表示画面に表示された前記商品情報符号を読み取るためのコード情報読取手段と、前記商品情報符号に基づいて前記決済サーバーに対して代金振替要求の情報を送信する振替要求手段とを有し、
前記決済サーバーは、前記レジスター装置の口座情報および前記顧客側端末の口座情報が記録された口座データベースを備え、
前記振替要求手段から送信される代金振替要求に基づいて、前記レジスター装置の口座情報および前記顧客側端末の口座情報で代金振替決済を行うことを特徴とする電子決済システム。
【請求項２】
前記レジスター装置を複数備える場合には、
前記複数のレジスター装置と前記決済サーバーとの間での情報通信を一元管理する店舗統括サーバを備えることを特徴とする請求項１記載の電子決済システム。
【請求項３】
前記商品情報符号には、バーコードまたは二次元バーコードを用いることを特徴とする請求項１記載の電子決済システム。
【請求項４】
前記代金振替要求の情報を暗号化して前記決済サーバーに送信することを特徴とする請求項１記載の電子決済システム。
【請求項５】
電気通信回線を介して通信可能なプログラム電子情報と顧客側端末と決済サーバーとを有し、
前記プログラム電子情報は、商品情報符号を表示するためのコード情報表示画面を有し、
前記顧客側端末は、前記コード情報表示画面に表示された前記商品情報符号を読み取るためのコード情報読取手段と、前記商品情報符号に基づいて前記決済サーバーに対して代金振替要求の情報を送信する振替要求手段とを有し、
前記決済サーバーは、前記プログラム電子情報の口座情報および前記顧客側端末の口座情報が記録された口座データベースを備え、
前記振替要求手段から送信される代金振替要求に基づいて、前記プログラム電子情報の口座情報および前記顧客側端末の口座情報で代金振替決済を行うことを特徴とする電子決済システム。
【請求項６】
顧客が購入した商品の代金を電気通信回線を介して接続された決済サーバーを用いて決済するレジスター装置であって、
商品情報符号を表示するためのコード情報表示画面と、
前記決済サーバーに記録されている口座情報を表示する確認画面と
を有することを特徴とするレジスター装置。
【発明の詳細な説明】
【技術分野】
【０００１】
本発明は、電子決済システムと決済に用いられるレジスター装置に関するものである。
【背景技術】
【０００２】
従来から、顧客が小売店などで商品を購入した際にクレジットカードなどの決済手段を用いることで、顧客が常に現金を所持しなくとも代金振替決済を行うことが可能であった。しかし、商品を販売する業者側にとってはクレジットカード会社に支払う多額の手数料を負担する必要があるうえに、クレジットカード会社から代金が振り込まれるまでの間は商品代金を売掛金として計上するため、現金決済のほうが好まれるという側面があった。
【０００３】
また、顧客側としてもクレジットカードの紛失や偽造などの危険性を防止するために、クレジットカード情報の管理に注意を払う必要があり、さらに、決済時に原則として署名を求められるために、手続きが煩雑になり比較的小額な商品購入や代金支払いを行う際には現金決済のほうが利便性が良いという問題があった。また、高額商品を購入の場合にはクレジット会社の承認を待つ必要があるなどの問題もあった。
【０００４】
また近年になって、一般消費者にも携帯電話が急速に普及してきている。携帯電話の端末は年々高機能化が進行しており、通話機能以外にも通信機能や情報処理機能、デジタルカメラ機能などを搭載した端末も実用化されてきている。携帯電話は外出時にも常に持ち歩いて使用することが想定されているため、代金振替決済を行う際に携帯電話端末を用いて様々なサービスを提供する方法も提案されている（例えば特許文献１および特許文献２参照）。
【０００５】
【特許文献１】特開２００２−６３６５２号公報
【特許文献２】特開２００３−６７３６号公報
【発明の開示】
【発明が解決しようとする課題】
【０００６】
しかし、上述した特許文献１に記載されている技術によれば、携帯電話端末とレジスター装置との間でＢｌｕｅｔｏｏｔｈなどの近距離無線通信を用いて情報通信を行う必要がある。しかし、特定の近距離無線通信技術を搭載した携帯電話端末が普及している必要があるため、どのような通信規格が普及するかわからない現状においては、携帯電話端末およびレジスター装置の規格を統一することは困難である。したがって、この技術が広く普及して小規模な小売店でもこの技術を利用することができるようになるまでは、利便性の向上は望みにくいという問題がある。
【０００７】
また、上述した特許文献２に記載されている技術によれば、携帯電話端末に表示したバーコードをレジスター装置で読み取ることで、顧客情報の管理を行い割引などのサービスを提供することが可能である。しかし、携帯電話端末に顧客情報や購入履歴などの情報を表示する必要があるため、携帯電話端末からサーバーへアクセスして、レジスター装置から携帯電話端末に対して情報の送信を行っていた。したがって、利用者はサービスを享受するためにサーバーへのアクセスを求められ、手順が煩雑になるという問題があった。
【０００８】
また、特許文献１および特許文献２のいずれにおいても、代金決済の手段としてではなく顧客サービスの情報管理に携帯電話端末を用いているため、利用者が現金又はクレジットカードで代金決済を行うことが必要である。したがって、利用者が現金を所持する必要があることや、署名等の手続きが要求される点は従来の代金決済と同様であり、手軽かつ迅速に口座間の決済を行うことは困難であった。
【０００９】
したがって本願発明は、比較的小額な商品購入や代金支払いを行う際にも手軽かつ迅速に銀行口座間での決済を低廉な振込手数料で行うことが可能な電子決済システムと、電子決済に利用されるレジスター装置を提供することを目的とする。
【課題を解決するための手段】
【００１０】
上記課題を解決するために本願発明の電子決済システムは、電気通信回線を介して通信可能なレジスター装置と顧客側端末と決済サーバーとを有し、前記レジスター装置は、商品情報符号を表示するためのコード情報表示画面と、前記決済サーバーとの間で情報通信を行うためのレジスター通信手段とを有し、前記顧客側端末は、前記コード情報表示画面に表示された前記商品情報符号を読み取るためのコード情報読取手段と、前記商品情報符号に基づいて前記決済サーバーに対して代金振替要求の情報を送信する振替要求手段とを有し、前記決済サーバーは、前記レジスター装置の口座情報および前記顧客側端末の口座情報が記録された口座データベースを備え、前記振替要求手段から送信される代金振替要求に基づいて、前記レジスター装置の口座情報および前記顧客側端末の
口座情報で代金振替決済を行うことを特徴とする。
【００１１】
利用者はレジスター装置に表示される商品情報符号を顧客側端末で読み取り、決済サーバーに対して代金振替要求を送信するだけで簡便かつ迅速に代金振替決済を行うことができ、商品購入時の利便性を向上させることが可能である。また、レジスター装置を設置している店舗側では、クレジットカードでの決済のように多額の手数料を支払う必要が無く、簡便かつ迅速に商品代金の回収を行うことが可能となる。
【００１２】
また、電子決済システムがレジスター装置を複数備えた場合には、複数のレジスター装置と決済サーバーとの間での情報通信を一元管理する店舗統括サーバを備えるとしてもよい。また、複数のレジスター装置と店舗統括サーバとを接続して、店舗統括サーバと決済サーバとを接続することにより、複数のレジスター装置での売上管理や販売情報の管理をＰＯＳシステムと併合して店舗統括サーバで一元管理することができる。
【００１３】
また、商品情報符号には、バーコードまたは二次元バーコードを用いることもできる。バーコードや二次元バーコードは、符号の読取装置やコード作成方法が既に提案されており、既存の技術を用いることが可能であるために、電子決済システムの実現が容易になる。また、商品情報符号には、レジスター装置に対応する口座番号、価格、店舗名、必要に応じた商品情報コード等を含めてもよい。
【００１４】
さらに、代金振替要求の情報を暗号化して決済サーバーに送信するとしてもよい。顧客側端末と決済サーバーとの間は、無線情報通信やインターネットなどの有線情報通信網によって接続されているため、盗聴や成りすましなどの不正行為や情報の欠落を防止するために、情報の暗号化を用いることで電子決済システムの確実性と秘匿性を向上させることが可能となる。このとき、情報の暗号化を決済サーバー側で処理するとしてもよい。
【００１５】
また、本発明の電子決済システムは、電気通信回線を介して通信可能なプログラム電子情報と顧客側端末と決済サーバーとを有し、前記プログラム電子情報は、商品情報符号を表示するためのコード情報表示画面を有し、前記顧客側端末は、前記コード情報表示画面に表示された前記商品情報符号を読み取るためのコード情報読取手段と、前記商品情報符号に基づいて前記決済サーバーに対して代金振替要求の情報を送信する振替要求手段とを有し、前記決済サーバーは、前記プログラム電子情報の口座情報および前記顧客側端末の口座情報が記録された口座データベースを備え、前記振替要求手段から送信される代金振替要求に基づいて、前記プログラム電子情報の口座情報および前記顧客側端末の口座情報で代金振替決済を行うことを特徴とする。
【００１６】
利用者はインターネットに接続されたパーソナルコンピュータでオンラインショッピングサイトにおいて、プログラム電子情報が画面に表示する商品情報符号を顧客側端末で読み取り、決済サーバーに対して代金振替要求を送信するだけで簡便かつ迅速に代金振替決済を行うことができ、商品購入時の利便性を向上させることが可能である。
【００１７】
また、上記課題を解決するために本願発明のレジスター装置は、顧客が購入した商品の代金を電気通信回線を介して接続された決済サーバーを用いて決済するレジスター装置であって、商品情報符号を表示するためのコード情報表示画面と、決済サーバーに記録されている口座情報を表示する確認画面とを有することを特徴とする。
【００１８】
レジスター装置で商品の情報を符号化して表示することにより、顧客側端末では瞬時に代金振替のための商品情報符号の読み取り、決済サーバーに対して代金振替要求を送信するだけで簡便かつ迅速に代金振替決済を行うことができ、商品購入時の利便性を向上させることが可能である。また、レジスター装置を設置している店舗側では、クレジットカードでの決済のように多額の手数料を支払う必要が無く、簡便かつ迅速に商品代金の回収を行うことが可能となる。また、レジスター装置が決済サーバーに記録されている口座情報を表示する確認画面を有することで、店舗側も利用者側も決済サーバーにおける口座間での代金決済の内容を瞬時に確認することができ、安全に電子決済システムを用いた決済を行うことが可能となる。
【発明の効果】
【００１９】
本発明の電子決済システムおよびレジスター装置を用いることにより、簡便かつ迅速に代金振替決済を行うことができる。これにより、顧客は商品購入時に現金やクレジットカードを所持しなくても購入可能となる。また、小売店側はクレジットカードでの決済のように多額の手数料を支払う必要が無く、売掛金としての計上をせずに現金と同様な商品代金の回収を行うことが可能となる。
【発明を実施するための最良の形態】
【００２０】
以下、本発明を適用した電子決済システムおよび電子決済に利用されるレジスター装置について、図面を参照しながら詳細に説明する。なお本発明は、以下の記述に限定されるものではなく、本発明の要旨を逸脱しない範囲において適宜変更可能である。
［第一の実施の形態］
【００２１】
図１は、本発明の電子決済システムの構成例を示す図であり、ネット銀行等サーバ１と携帯電話端末２とレジスター装置３とを備えて電子決済システムが構成されている。ネット銀行等サーバ１と携帯電話端末２とは、無線通信と各通信会社の電話回線網４を経由して互いに情報通信可能に接続されている。また、ネット銀行等サーバ１とレジスター装置３とは、インターネット回線網や専用回線などの情報通信回線５を経由して互いに情報通信可能に接続されている。
【００２２】
ネット銀行等サーバ１は、銀行が管理し運営する所謂ネットバンクやオンラインバンクを実現するための情報処理装置であり、顧客が開設した銀行口座での入金作業や出金作業を行う決済サーバーとして機能する。またネット銀行等サーバ１は、所定の手順を実行して演算を行うコンピューターである情報処理手段１１と、顧客と店舗が開設している銀行口座情報が記録されている口座データベース１２と、電話回線網４および情報通信回線５を介して所定のプロトコルに従って情報の通信を行う通信手段１３とを備えている。またネット銀行等サーバ１は、インターネット銀行やオンライン銀行として知られる銀行等の決済窓口であるウェブサーバーを兼ね備えており、携帯電話端末２およびレジスター装置３との間でインターネット銀行のウェブページを介した入金・出金の操作を用いて情報の通信を行なう。
【００２３】
携帯電話端末２は、通話での端末装置としてのみならず情報通信端末としても用いることができる携帯電話であり顧客側端末として機能する。また携帯電話端末２は、所定の手順を実行して演算を行うプロセッサーである情報処理手段２２と、レジスター装置３が表示する商品情報符号を読み取るためのコード情報読取手段２１と、電話回線網４を介して所定のプロトコルに従って情報の通信を行う通信手段２３と、携帯電話端末２の操作を行うためのボタンやダイアルなどの入力手段２４を備えている。また、通常の携帯電話端末と同様に、電話番号やアドレス帳、電子メールの内容やウェブページの表示など、所定の情報を表示する画面を備えている。
【００２４】
携帯電話端末２では、コード情報読取手段２１が読み取った商品情報符号に基づいて、情報処理手段２２が情報の処理を行って通信手段２３を用いてネット銀行等サーバ１との間で情報通信を行う。したがって、情報処理手段２２と通信手段２３の機能が結びつくことで、代金振替要求の情報を送信する振替要求手段として機能する。コード情報読取手段２１としては、ＣＣＤ（charge-coupled device）センサーやＣＭＯＳ（complementary metal-oxide semiconductor）センサーなどの半導体デバイスを用いることができる。また、コード情報読取手段２１を用いて読み取ったバーコードを情報処理手段２２が数字に変換して画面に表示する。
【００２５】
レジスター装置３は、商品代金の計算や現金の保管などに用いられるレジスター装置であり、通常の小売店舗などで用いられるレジスター装置と同様に、ＰＯＳ（point-of-sale）システムと接続されているとしてもよい。レジスター装置３は、所定の手順を実行して演算を行うプロセッサーである情報処理手段３１と、集計した商品代金を商品情報符号として表示するためのコード情報表示画面３２と、電話回線網４および情報通信回線５を介して所定のプロトコルに従って情報の通信を行う通信手段３３と、ネット銀行等サーバ１での決済結果や購入した商品の金額など種種の情報を表示する表示画面３４と、商品の値段や顧客情報、レジスター装置３を操作するためのキーボードやボタンなどの入力手段３５と、商品に付せられているバーコードを読み取るバーコードスキャナー３６を備えている。
【００２６】
レジスター装置３で商品の情報を符号化して表示することにより、顧客側端末である携帯電話端末２では瞬時に代金振替のための商品情報符号の読み取り、ネット銀行等サーバ１に対して代金振替要求を送信するだけで簡便かつ迅速に代金振替決済を行うことができ、商品購入時の利便性を向上させることが可能である。また、レジスター装置３を設置している店舗側では、クレジットカードでの決済のように多額の手数料を支払う必要が無く、簡便かつ迅速に商品代金の回収を行うことが可能となる。
【００２７】
また、図中にはレジスター装置３のコード情報表示画面３２に表示される商品情報符号を、携帯電話端末２のコード情報読取手段２１で読み取る様子を模式的に示している。このとき、コード情報表示画面３２に表示される商品情報符号は、バーコードや二次元バーコードの形式を用いて所定の情報を図形化して表現する方法を採用するとしてもよい。バーコードや二次元バーコードは、符号の読取装置やコード作成方法が既に提案されており、既存の技術を用いることが可能であるために、電子決済システムの実現が容易になる。
【００２８】
また、商品情報符号には購入した商品の合計代金だけではなく、購入日時や秒単位までの時刻、販売した店舗名などを含むとしてもよい。商品情報に様々な情報を含ませることによって、ネット銀行等サーバ１での口座間決済に際して取引内容を詳細に記録することが可能となる。また、商品情報符号には、レジスター装置に対応する口座番号、価格、店舗名、必要に応じた商品情報コード等を含めてもよい。
【００２９】
図２は、本発明の電子決済システムに用いされるレジスター装置３の構成例を示す外観図であり、図２（a）は右側面図であり、図２（ｂ）は左側側面図、図２（ｃ）は顧客側である前面図、図２（ｄ）は後面図、図２（e）は上面図である。レジスター装置３は上述して説明したように、コード情報表示画面３２と表示画面３４、入力手段３５、バーコードスキャナー３６を備えており、筐体３７と現金入庫箱３８によって外形が形成されている。
【００３０】
筐体３７は、図に示したように台形状の側面を有する台状の部材であり、顧客側の前面にコード情報表示画面３２が配置され、店員側の後面に表示画面３４が配置されている。また、筐体３７の上部には顧客側にも情報の表示を行うことが可能なように、顧客側と店員側の両面に表示面を有する回転可能な回転表示部３９が取り付けられている。また、筐体３７の内部には情報処理手段３１と通信手段３３が内蔵されており、筐体３７の一方の側面にはバーコードスキャナー３６が接続されている。図中では、筐体３７の安定性を向上させるために、筐体３７の側面は水平方向に対して６０度程度の角度をもっている例を示しているが、筐体３７の外形は台形状である必要は無く、円柱形状や直方体などどのような形状であっても良い。
【００３１】
また、レジスター装置３には決済ボタン４０が取り付けられており、ネット銀行等サーバ１との間で代金振替決済が終了した場合に、店員が決済ボタン４０を押すことでレシートの発行や、POSシステムへの取引成立情報の送信を行う。
【００３２】
現金入庫箱３８は、内部に現金を収納して必要な場合に現金を出し入れするための装置であり、上部や側面に入力手段３５が配置されている。また、レジスター装置３は通常のＰＯＳシステムと接続されており、店舗での商品販売状況を情報として伝達することで即座に情報の把握や在庫管理、顧客情報の管理ををすることができ、顧客の購入履歴に応じて顧客情報サービスを提供可能となっている。回転表示部３９は、顧客が購入した商品の合計金額を表示する装置である。レジスター装置３が、ネット銀行等サーバ１に記録されている口座情報を表示するための確認画面として表示画面３４および回転表示部３９を備えることによって、店舗側も利用者側もネット銀行等サーバ１における口座間での代金決済の内容を瞬時に確認することができ、安全に電子決済システムを用いた決済を行うことが可能となる。
【００３３】
次に、本発明の電子決済システムを利用した商品購入から代金決済までの手順を図３のフローチャートを用いて説明する。なお、以下に説明する手順の前に、代金の支払いを行う顧客と代金の回収を行う店舗は、ネット銀行等サーバ１を運営し管理している銀行に口座を開設しておき、通信回線を介して自らの口座内の出金や振込み作業を行うことができる状態になっているとする。また本実施の形態では、顧客も店舗も同一のネット銀行等サーバ１によってそれぞれの口座を管理されているとしているが、異なる銀行間でネット銀行等サーバ間の入出金を行うとしても良く、その場合には決済に時間を要する場合もある。また、ネット銀行等サーバ１にはレジスター装置３に対応する個別の口座が開設されているとしてもよい。
【００３４】
ステップ１では、顧客は店舗で購入する商品をレジスター装置３が設置されている会計カウンターに運び、店員はレジスター装置３のバーコードスキャナー３６を用いて各商品に付されているバーコードの読取を行って、商品代金の集計を行う。このとき、レジスター装置３は、商品に付されているバーコードとPOSシステムが記録している商品のデータベースとに基づいて商品の種類や価格等の商品情報を入手する。商品にバーコードが付されていない場合や、バーコードの読取を正確に行えない場合には、入力手段３５を用いて該当商品を集計することも可能である。
【００３５】
ステップ２では、レジスター装置３の情報処理手段３１がステップ１で集計した商品情報にレジスター装置を識別するための情報や、ネット銀行等サーバ１における店舗の口座情報を付加して、商品情報符号である二次元バーコードの作成を行う。二次元バーコードとしては、例えばＱＲコードやPDF417、DataMatrix、Maxi Code等を用いることができる。
【００３６】
ステップ３では、レジスター装置３は商品情報符号をコード情報表示画面３２に表示する。このとき、同時に表示画面３４および回転表示部３９には、商品個別の価格や合計金額などの情報を表示することで、顧客および店員が商品代金の確認を行うことが出来る。
【００３７】
ステップ４では、顧客が携帯電話端末２のコード情報読取手段２１を用いて、コード情報表示画面３２に表示されている商品情報符号の読取を行う。具体的には例えば、顧客は携帯電話端末２に内蔵されているカメラユニットをコード情報読取手段２１として用いて、コード情報表示画面３２である液晶表示画面に表示されたバーコード等を商品情報符号として撮影する。
【００３８】
ステップ５では、情報処理手段２２が商品情報符号を図形データから数値データに変換して、店舗に対して支払う商品代金の情報と店舗の口座情報とを、通信手段２３を用いて代金振替要求情報に含めてネット銀行等サーバ１に対して送信する。このとき、情報処理手段２２と通信手段２３が組み合わされることで、支払い要求手段として機能することになる。代金振替要求情報の送信に際しては、代金振替要求情報を暗号化してネット銀行等サーバ１に送信するとしてもよいが、ネット銀行等サーバ１が提供するウェブページの暗号化を用いて通信を行うとしても良い。携帯電話端末２とネット銀行等サーバ１との間は、無線情報通信やインターネットなどの有線情報通信網によって接続されているため、盗聴や成りすましなどの不正行為や情報の欠落を防止するために、例えば公開鍵方式（Public Key Infrastructure）の暗号化などを用いることで電子決済システムの確実性と秘匿性を向上させることが可能となる。また、無線情報通信部分にはIEEE８０２．１１ｉ規格を用いるなどしてもよい。
【００３９】
このステップにおいては、顧客は携帯電話端末２を操作して、ネット銀行等サーバ１が提供するインターネット銀行のウェブページにアクセスし、自らの口座番号と暗証番号を携帯電話端末２から入力し、振り込み代金の確認と振込み作業の承認を行う。このように、顧客側が複数の手順を携帯電話端末２で行うとしてもよいが、ステップ４での携帯電話端末２を用いた商品情報符号の読み取り作業に連続して自動的にネット銀行等サーバ１にアクセスして、予め携帯電話端末２に登録しておいた口座番号と暗証番号を用いて代金振替要求をネット銀行等サーバ１に送信するとしてもよい。
【００４０】
ステップ６では、ネット銀行等サーバ１の通信手段１３が代金振替要求情報を受信する。このとき、代金振替要求情報が暗号化されている場合には、情報処理手段１１が情報の復号化を行って、顧客の口座情報、支払い代金の情報および代金を振り込む店舗側の口座情報を入手する。
【００４１】
ステップ７では、ネット銀行等サーバ１が代金振替要求情報に含まれている振込代金と、振込元である顧客の口座情報と、振込先である店舗の口座情報に基づいて、口座データベース１２に記録されている顧客の銀行口座から店舗の銀行口座に対して振り込み代金に相当する金額の振り込み作業を行う。これにより、顧客の口座から店舗の口座に対して代金の振込が行われて、顧客の購入した商品の代金を店舗が回収する決済が行われる。
【００４２】
ステップ８では、ネット銀行等サーバ１は口座データベース１２の振込作業によって生じた店舗側口座の変化情報を窓口であるウェブページ上に表示することで、通信手段１３を用いてインターネット網などを介してレジスター装置３に送信する。店舗側口座の変化情報には、顧客の口座から店舗の口座へ振り込まれた金額、決済日および秒単位までの時刻などを含めるとしてもよい。このとき、情報処理手段１１が店舗側口座の変化情報を暗号化して送信することで、秘匿性を高めるとしても良い。
【００４３】
ステップ９では、レジスター装置３の通信手段３３が店舗側口座の変化情報をウェブページ上の表示として受信し、表示画面３４にインターネット銀行等のウェブページを表示することで店舗側口座の変化情報を表示する。これにより、ネット銀行等サーバ１での代金振替決済作業を確認して商品の受け渡しを行うことができる。
【００４４】
上述して説明したように、本発明の電子決済システムおよびレジスター装置を用いることにより、簡便かつ迅速に代金振替決済を行うことができる。これにより、顧客は商品購入時の利便性を向上させることが可能となり、小売店側はクレジットカードでの決済のように多額の手数料を支払う必要が無く、売掛金としての計上をせずに現金と同様な商品代金の回収を行うことが可能となる。
［第二の実施の形態］
【００４５】
次に、本発明の電子決済システムの他の実施の形態として、レジスター装置３から店舗統括サーバに対して売上代金報告の情報を送信する例を説明する。図４は本実施の形態における電子決済システムの構成例を示す図であり、ネット銀行等サーバ１と携帯電話端末２と複数のレジスター装置３と店舗統括サーバ６を備えて電子決済システムが構成されている。ネット銀行等サーバ１と携帯電話端末２とは、無線通信と各通信会社の電話回線網４を経由して互いに情報通信可能に接続されている。また、ネット銀行等サーバ１と店舗統括サーバ６とは、インターネット回線網や専用回線などの情報通信回線５を経由して互いに情報通信可能に接続されている。また、店舗統括サーバ６と複数のレジスター装置３とは専用回線などの情報通信回線を経由して互いに情報通信可能に接続されている。
【００４６】
本実施の形態でのネット銀行等サーバ１、携帯電話端末２およびレジスター装置３の構成と機能のうち第一の実施の形態で説明したものと同様の部分については、説明の重複を避けるために説明を省略する。
【００４７】
店舗統括サーバ６は、所定の手順を実行して演算を行うコンピューターである情報処理手段６１と、所定のプロトコルに従って情報の通信を行う通信手段６２とを備えており、レジスター装置３が配置されている複数の店舗とネット銀行等サーバ１との間での代金振込と商品代金との照合を行って、商品販売と代金決済の情報管理を行う。また、店舗統括サーバ６はPOSシステムの商品販売情報を管理するサーバーとして機能するとしてもよい。店舗統括サーバ６には複数のレジスター装置がオンラインで接続されており、複数のレジスター装置とネット銀行等サーバ１との情報通信を店舗統括サーバ６が一元管理するために、店舗統括サーバ６とネット銀行等サーバ１との間の接続は常時情報通信可能に接続されていることが望ましい。
【００４８】
次に、本実施の形態の電子決済システムを利用した商品購入から代金決済までの手順を
図５のフローチャートを用いて説明する。なお、以下に説明する手順の前に、代金の支払いを行う顧客と代金の回収を行う店舗は、ネット銀行等サーバ１を運営し管理している銀行に口座を開設しておき、通信回線を介して自らの口座内の出金や振込み作業を行うことができる状態になっているとする。また本実施の形態では、顧客も店舗も同一のネット銀行等サーバ１によってそれぞれの口座を管理されているとしているが、異なる銀行間でネット銀行等サーバ間の入出金を行うとしても良く、その場合には決済に時間を要する場合もある。
【００４９】
ステップ１１では、顧客は店舗で購入する商品をレジスター装置３が設置されている会計カウンターに運び、店員はレジスター装置３のバーコードスキャナー３６を用いて各商品に付されているバーコードの読取を行って、商品代金の集計を行う。このとき、レジスター装置３は、商品に付されているバーコードとPOSシステムが記録している商品のデータベースとに基づいて商品の種類や価格等の商品情報を入手する。商品にバーコードが付されていない場合や、バーコードの読取を正確に行えない場合には、入力手段３５を用いて該当商品を集計することも可能である。
【００５０】
ステップ１２では、レジスター装置３の情報処理手段３１がステップ１１で集計した商品情報にレジスター装置を識別するための情報や、ネット銀行等サーバ１における店舗の口座情報を付加して、商品情報符号である二次元バーコードの作成を行う。二次元バーコードとしては、例えばＱＲコードやPDF417、DataMatrix、Maxi Code等を用いることができる。
【００５１】
ステップ１３では、レジスター装置３は商品情報符号をコード情報表示画面３２に表示する。このとき、同時に表示画面３４および回転表示部３９には、商品個別の価格や合計金額などの情報を表示することで、顧客および店員が商品代金の確認を行うことが出来る。
【００５２】
ステップ１４では、顧客が携帯電話端末２のコード情報読取手段２１を用いて、コード情報表示画面３２に表示されている商品情報符号の読取を行う。具体的には例えば、顧客は携帯電話端末２に内蔵されているカメラユニットをコード情報読取手段２１として用いて、コード情報表示画面３２である液晶表示画面に表示されたバーコード等を商品情報符号として撮影する。
【００５３】
ステップ１５では、情報処理手段２２が商品情報符号を図形データから数値データに変換して、店舗に対して支払う商品代金の情報と店舗の口座情報とを、通信手段２３を用いて代金振替要求情報に含めてネット銀行等サーバ１に対して送信する。このとき、情報処理手段２２と通信手段２３が組み合わされることで、支払い要求手段として機能することになる。代金振替要求情報の送信に際しては、代金振替要求情報を暗号化してネット銀行等サーバ１に送信するとしてもよいが、ネット銀行等サーバ１が提供するウェブページの暗号化を用いて通信を行うとしても良い。携帯電話端末２とネット銀行等サーバ１との間は、無線情報通信やインターネットなどの有線情報通信網によって接続されているため、盗聴や成りすましなどの不正行為や情報の欠落を防止するために、例えば公開鍵方式（Public Key Infrastructure）の暗号化などを用いることで電子決済システムの確実性と秘匿性を向上させることが可能となる。また、無線情報通信部分にはIEEE８０２．１１ｉ規格を用いるなどしてもよい。
【００５４】
このステップにおいては、顧客は携帯電話端末２を操作して、ネット銀行等サーバ１が提供するインターネット銀行のウェブページにアクセスし、自らの口座番号と暗証番号を携帯電話端末２から入力し、振り込み代金の確認と振込み作業の承認を行う。このように、顧客側が複数の手順を携帯電話端末２で行うとしてもよいが、ステップ４での携帯電話端末２を用いた商品情報符号の読み取り作業に連続して自動的にネット銀行等サーバ１にアクセスして、予め携帯電話端末２に登録しておいた口座番号と暗証番号を用いて代金振替要求をネット銀行等サーバ１に送信するとしてもよい。
【００５５】
ステップ１６では、ネット銀行等サーバ１の通信手段１３が代金振替要求情報を受信する。このとき、代金振替要求情報が暗号化されている場合には、情報処理手段１１が情報の復号化を行って、顧客の口座情報、支払い代金の情報および代金を振り込む店舗側の口座情報を入手する。
【００５６】
ステップ１７では、情報処理手段３１は、顧客が店舗に対して支払う商品代金の情報とレジスター装置３の口座情報とを、通信手段３３を用いて商品代金の情報を含む売上報告として店舗統括サーバ６に対して送信する。売上報告の内容としては、商品合計の代金だけではなく商品の種類や個数などの情報を含めるとしても良い。
【００５７】
ステップ１８では、店舗統括サーバ６の通信手段６２がレジスター装置３から売上報告を受信する。店舗統括サーバ６では、受信した売上報告を基にしてPOSシステムでの販売情報の管理や在庫管理などを行う。
【００５８】
ステップ１９では、ネット銀行等サーバ１が代金振替要求情報に含まれている振込代金と、振込元である顧客の口座情報と、振込先である店舗の口座情報に基づいて、口座データベース１２に記録されている顧客の銀行口座から店舗の銀行口座に対して振り込み代金に相当する金額の振り込み作業を行う。これにより、顧客の口座から店舗の口座に対して代金の振込が行われて、顧客の購入した商品の代金を店舗が回収する代金振込決済が行われる。
【００５９】
ステップ２０では、ネット銀行等サーバ１は口座データベース１２の振込作業によって生じた店舗側口座の変化情報を窓口であるウェブページ上に表示することで、通信手段１３を用いてインターネット網などを介して店舗統括サーバ６に送信する。店舗側口座の変化情報には、顧客の口座から店舗の口座へ振り込まれた金額、決済日および秒単位までの時刻などを含めるとしてもよい。このとき、情報処理手段１１が店舗側口座の変化情報を暗号化して送信することで、秘匿性を高めるとしても良い。
【００６０】
ステップ２１では、店舗統括サーバ６の通信手段６２が口座情報を受信して、レジスター装置３に対応した店舗側口座の変化情報を取得する。このとき、ステップ１８で受信した売上報告の内容と口座情報の変化を照合して、ネット銀行等サーバ１での決済作業を確認する。次に、ステップ２２では、店舗統括サーバ６の通信手段６２は口座情報をレジスター装置３に対して送信する。
【００６１】
ステップ２３では、レジスター装置３の通信手段３３が店舗側口座の変化情報を受信し、表示画面３４に店舗側口座の変化情報を表示する。これにより、店舗統括サーバ６を介してネット銀行等サーバ１での決済作業を確認して商品の受け渡しを行うことができる。店舗側口座の変化情報が暗号化されている場合には、情報処理手段３１によって複合化することで金額、顧客の氏名、決済日時および秒単位までの時刻などを入手する。
【００６２】
本発明の電子決済システムおよびレジスター装置を用いることにより、簡便かつ迅速に代金振替決済を行うことができる。これにより、顧客は商品購入時の利便性を向上させることが可能となり、小売店側はクレジットカードでの決済のように多額の手数料を支払う必要が無く、売掛金としての計上をせずに現金と同様な商品代金の回収を行うことが可能となる。また、複数のレジスター装置と店舗統括サーバとを接続して、店舗統括サーバとネット銀行等サーバとを接続することにより、複数のレジスター装置での売上管理や販売情報の管理を店舗統括サーバで一元管理することができる。
［第三の実施の形態］
【００６３】
次に、本発明の電子決済システムの他の実施の形態として、上述したレジスター装置の代わりにプログラム電子情報を用いる例を示す。プログラム電子情報にはレジスター装置３と同様に、所定の手順を実行して演算を行うプロセッサーである情報処理手段と、集計した商品代金を商品情報符号として表示するためのコード情報表示画面と、電話回線網および情報通信回線を介して所定のプロトコルに従って情報の通信を行う通信手段と、ネット銀行等サーバでの決済結果や購入した商品の金額など種種の情報を表示する表示画面が備えられている。プログラム電子情報では、インターネットを介してアクセスしたオンラインショッピングサイトを表示することにより、通信販売装置の画面上に商品と値段、および二次元バーコードなどの商品情報符号を表示する。
【００６４】
ネット銀行等サーバ１や携帯電話端末２の構成および機能は前述した第一の実施の形態と同様であるので説明を省略する。また、決済の手順に関しても第一の実施の形態と同様であるとする。
【００６５】
プログラム電子情報は例えば、テレビ受像機やパーソナルコンピュータ等の映像を表示する装置上で動作し、通信販売番組やオンラインショッピングサイト上で販売している商品の説明と共に、バーコードや二次元バーコード等の商品情報符号を表示する。また、プログラム電子情報はオンラインショッピングサイトが提供するウェブページやプログラムなどの電子情報である。
【００６６】
顧客は画面上に表示されている商品情報符号を携帯電話端末２のコード情報読取手段２１で読み取り、情報処理手段２２が商品情報符号を図形データから数値データに変換して、店舗に対して支払う商品代金の情報と店舗の口座情報とを、通信手段２３を用いて代金振替要求情報に含めてネット銀行等サーバ１に対して送信する。このとき、情報処理手段２２と通信手段２３が組み合わされることで、支払い要求手段として機能することになる。
【００６７】
以下、前述して説明したようにネット銀行等サーバ１での口座決済が行われる。通信販売装置上でプログラム電子情報が商品の情報を符号化して表示することにより、顧客側端末である携帯電話端末２では瞬時に代金振替のための商品情報符号の読み取り、ネット銀行等サーバ１に対して代金振替要求を送信するだけで簡便かつ迅速に代金振替決済を行うことができ、商品購入時の利便性を向上させることが可能である。
【図面の簡単な説明】
【００６８】
【図１】本発明の第一の実施の形態における電子決済システムの構成を示す図である。
【図２】本発明の第一の実施の形態における電子決済システムに用いられるレジスター装置の構成例を示す外観図である。
【図３】本発明の第一の実施の形態における電子決済システムを利用して、代金振替決済を行うための実施例１の手順を示すフローチャートである。
【図４】本発明の第二の実施の形態における電子決済システムの構成を示す図である。
【図５】本発明の第二の実施の形態における電子決済システムを利用して、代金振替決済を行うための実施例２の手順を示すフローチャートである。
【符号の説明】
【００６９】
１    ネット銀行等サーバ
２    携帯電話端末
３    レジスター装置
４    電話回線網
５    情報通信回線
６    店舗統括サーバ
１１，２２，３１    情報処理手段
１２，    口座データベース
１３，２３，３３，６２    通信手段
２１    コード情報読取手段
２４    入力手段
３２    コード情報表示画面
３４    表示画面
３５    入力手段
３６    バーコードスキャナー
３７    筐体
３８    現金入庫箱
３９    回転表示部
【図１】
2005092338.tif 000003
【図２】
2005092338.tif 000004
【図３】
2005092338.tif 000005
【図４】
2005092338.tif 000006
【図５】
2005092338.tif 000007
【手続補正書】
【提出日】平成16年3月24日(2004.3.24)
【手続補正１】
【補正対象書類名】明細書
【補正対象項目名】００２９
【補正方法】変更
【補正の内容】
【００２９】
図２は、本発明の電子決済システムに用いられるレジスター装置３の構成例を示す外観図であり、図２は  （a）は右側面図であり、図２（ｂ）は左側側面図、図２（ｃ）は顧客側である前面図、図２（ｄ）は後面図、図２（e）は上面図である。レジスター装置３は上述
して説明したように、コード情報表示画面３２と表示画面３４、入力手段３５、バーコードスキャナー３６を備えており、筺体３７と現金入庫箱３８によって外形が形成されている。
【手続補正２】
【補正対象書類名】明細書
【補正対象項目名】００３８
【補正方法】変更
【補正の内容】
【００３８】
ステップ５では、情報処理手段２２が商品情報符号を図形データから数値データに変換して、店舗に対して支払う商品代金の情報と口座情報とを、通信手段２３を用いて代金振替要求情報に含めてネット銀行等サーバ１に対して送信する。この時、情報処理手段２２と通信手段２３が組み合わされることで、支払い要求手段として機能することになる。代金振替要求情報の送信に際しては、代金振替要求情報を暗号化してネット銀行等サーバ１に送信するとしてもよいが、ネット銀行等サーバ１が提供するウェブページの暗号化を用いて通信を行うとしても良い。携帯電話端末２とネット銀行等サーバ１との間は、無線情報通信やインターネットなどの有線情報通信網によって接続されているため、盗聴や成りすましなどの不正行為や情報の欠落を防止するために、例えば公開鍵方式等の暗号化などを用いる。また暗号化の他に公開鍵の正当性を証明するCA(公開鍵認証局)やデジタル証明書などの仕組みをとりいれたPKI（Public Key Infrastructure）などを用いることで電子決済システムの確実性と秘匿性を向上させることが可能となる。また、無線情報通信部分にはIEEE802.11i規格を用いるなどしても良い。
【手続補正３】
【補正対象書類名】明細書
【補正対象項目名】００４１
【補正方法】変更
【補正の内容】
【００４１】
ステップ７では、ネット銀行等サーバ１が代金振替要求情報に含まれている振込代金と、振込元である顧客の口座情報と、振込先である店舗の口座情報に基づいて、口座データベース１２に記録されている顧客の銀行口座から店舗の銀行口座に対して振り込み代金に相当する金額の
振込み作業を行う。これにより、顧客の口座から店舗の口座に対して代金の振込が行われて、顧客の購入した商品の代金が店舗口座へ入金され決済が行われる。
【手続補正４】
【補正対象書類名】明細書
【補正対象項目名】００４８
【補正方法】変更
【補正の内容】
【００４８】
次に、本実施の形態の電子決済システムを利用した商品購入から代金決済までの手順を図５のフローチャートを用いて説明する。なお、以下に説明する手順の前に、代金の支払いを行う顧客と代金の受領を行う店舗は、ネット銀行等サーバ１を運営し管理している銀行に口座を開設しておき、通信回線を介して自らの口座内の出金や振込み作業を行うことが出来る状態になっているとする。また本実施の形態では、顧客も店舗も同一のネット銀行等サーバ１によってそれぞれの口座を管理されているとしているが、異なる銀行間でネット銀行等サーバ間の入出金を行うとしても良く、その場合には決済に時間を要する場合もある。
【手続補正５】
【補正対象書類名】明細書
【補正対象項目名】００５３
【補正方法】変更
【補正の内容】
【００５３】
ステップ１５では、情報処理手段２２が商品情報符号を図形データから数値データに変換して、店舗に対して支払う商品代金の情報と店舗の口座情報とを、通信手段２３を用いて代金振替要求情報に含めてネット銀行等サーバ１に対して送信する。この時、情報処理手段２２と通信手段２３が組み合わされることで、支払い要求手段として機能することになる。代金振替要求情報の送信に際しては、代金振替要求情報を暗号化してネット銀行等サーバ１に送信するとしても良いが、ネット銀行等サーバ１が提供するウェブページの暗号化を用いて通信を行うとしても良い。携帯電話端末２とネット銀行等サーバ１との間は、無線情報通信やインターネットなどの有線情報通信網によって接続されているため、盗聴や成りすましなどの不正行為や情報の欠落を防止する為に、例えば公開鍵方式等の暗号化などを用いる。また暗号化の他に公開鍵の正当性を証明するCA（公開鍵認証局）やデジタル証明書などの仕組みを取り入れたPKI（Public Key Infrastructure）などを用いることで電子決済システムの確実性と秘匿性を向上させることが可能となる。また、無線情報通信部分にはIEEE802.11i規格を用いるなどしても良い。
【手続補正６】
【補正対象書類名】明細書
【補正対象項目名】００５８
【補正方法】変更
【補正の内容】
【００５８】
ステップ１９では、ネット銀行等サーバ１が代金振替要求情報に含まれている振込代金と、振込元である顧客の口座情報と、振込先である店舗の口座情報に基づいて、口座データベース１２に記録されている顧客の銀行口座から店舗の銀行口座に対して振り込み代金に相当する金額の振替作業を行う。これにより、顧客の口座から店舗の口座に対して代金の振替が行われて、顧客の購入した商品の代金を店舗が受領する代金振替決済が行われる。
【手続補正７】
【補正対象書類名】明細書
【補正対象項目名】００６３
【補正方法】変更
【補正の内容】
【００６３】
次に、本発明の電子決済システムの他の実施の形態として、上述したレジスター装置の代わりにプログラム電子情報を用いる例を示す。プログラム電子情報にはレジスター装置３と同様に、所定の手順を実行して演算を行うプロセッサーである情報処理手段と、集計した商品代金を商品情報符号として表示するためのコード情報表示画面と、電話回線網および情報通信回線を介して所定のプロトコルに従って情報の通信を行う通信手段と、ネット銀行等サーバでの決済結果や購入した商品の金額など種々の情報を表示する表示画面が備えられている。プログラム電子情報では、プログラム電子情報画面上に商品と値段、および二次元バーコードなどの商品情報符号を表示する。
【手続補正８】
【補正対象書類名】明細書
【補正対象項目名】００６７
【補正方法】変更
【補正の内容】
【００６７】
以下、前述して説明したようにネット銀行等サーバ１での口座決済が行われる。電気通信回線を介したプログラム電子情報が商品の情報を符号化して表示することにより、顧客側端末である携帯電話端末２では瞬時に代金振替のための商品情報符号の読み取り、ネット銀行等サーバ1に対して代金振替要求を送信するだけで簡便かつ迅速に代金振替決済を行う事が出来、商品購入時の利便性を向上させることが可能である。
【手続補正９】
【補正対象書類名】図面
【補正対象項目名】図４
【補正方法】変更
【補正の内容】
【図４】
2005092338.tif 000008
【手続補正書】
【提出日】平成16年6月24日(2004.6.24)
【手続補正１】
【補正対象書類名】特許請求の範囲
【補正対象項目名】全文
【補正方法】変更
【補正の内容】
【特許請求の範囲】
【請求項１】
電気通信回線を介して通信可能なレジスター装置と顧客側端末と決済サーバとを有し、
前記顧客端末は、購入した商品に関する商品情報符号を読み取るためのコード情報読取手段と、前記商品情報符号に基づいて前記決済サーバに対して代金振替要求の情報を送信する振替要求手段とを備え、
前記決済サーバは、前記レジスター装置の口座情報および前記顧客側端末の口座情報が記録された口座データベースを備え、
前記レジスター装置は、電気通信回線を通じた代金振替情報の入出力手段と、前記商品情報符号を出力するコード情報出力手段とを備え、
前記決済サーバは、前記振替要求手段から送信される代金振替要求に基づいて、前記レジスター装置の口座情報および前記顧客側端末の口座情報で代金振替決済を行うことを特徴とする電子決済システム。
【請求項２】
前記レジスター装置を複数備える場合には、
前記複数のレジスター装置と前記決済サーバとの間での情報通信を一元管理する店舗統括サーバを備えることを特徴とする請求項1記載の電子決済システム。
【請求項３】
前記商品情報符号には、バーコードまたは二次元バーコードを用いることを特徴とする請求項１または請求項２記載の電子決済システム。
【請求項４】
電気通信回線を介して通信可能な顧客側端末と決済サーバとを有し、
前記顧客側端末は、放送または電気通信回線を介して送信された商品情報符号の表示を含むコード情報を表示する装置の表示画面から前記商品情報符号を読み取るためのコード情報読取手段と、前記商品情報符号に基づいて前記決済サーバに対して代金振替要求の情報を送信する振替要求手段とを備え、
前記決裁サーバは、前記コード情報による販売者の口座情報および前記顧客側端末の口座情報が記録された口座データベースを備え、
前記振替要求手段から送信される代金振替要求に基づいて、前記コード情報による販売者の口座情報および前記顧客側端末の口座情報で代金振替決済を行うことを特徴とする電子決済システム。
【請求項５】
顧客が購入した商品の代金を電気通信回線を介して接続された決済サーバを用いて決済する請求項１から請求項４までのいずれか１項に記載の電子決済システムにおけるレジスター装置であって、
商品情報符号を出力するためのコード情報出力手段と、
前記決済サーバが決済した代金振替情報を受信し出力する出力手段とを備えることを特徴とするレジスター装置。
【手続補正書】
【提出日】平成16年10月29日(2004.10.29)
【手続補正１】
【補正対象書類名】特許請求の範囲
【補正対象項目名】全文
【補正方法】変更
【補正の内容】
【特許請求の範囲】
【請求項１】
インターネット回線網を利用して通信可能な、レジスター装置と顧客側端末と口座振替のためのネット銀行サーバとを有する電子決済システムであって、
前記レジスター装置は、
販売する商品に関するコード情報を表示するための、当該レジスター装置の筐体の顧客側に面した位置に取り付けられた第１の表示装置と、
前記ネット銀行サーバが送信する店舗側口座情報のウェブページを表示するための、当該レジスター装置の筐体の販売員側に面した位置に取り付けられた第２の表示装置と、
前記第１の表示装置に販売する商品に関するコード情報をバーコードまたは二次元バーコードを用いて表示し、前記第２の表示装置に前記ネット銀行サーバからインターネット回線網を利用して受信した店舗側口座情報のウェブページを表示する情報処理手段とを備え、
前記顧客側端末は、
前記レジスター装置の第１の表示装置に表示されたコード情報を読み取るためのコード情報読取手段と、
前記コード情報読取手段により読み取ったコード情報を数字に変換し、その変換した情報に基づく顧客側口座から店舗側口座への商品代金振替要求の情報を、ＰＫＩを利用して暗号化し、その暗号化した商品代金要求の情報を、前記ネット銀行サーバが顧客に対して提供するウェブページを介して前記ネット銀行サーバへインターネット回線網を利用して送信する情報処理手段とを備え、
前記ネット銀行サーバは、
前記店舗側口座および前記顧客側口座の情報が記録された口座データベースと、
前記レジスター装置に対しインターネット回線網を利用して店舗側口座情報のウェブページを送信する手段と、
前記顧客側端末に対しインターネット回線網を利用して商品代金振替要求の情報を入力させるためのウェブページを送信する手段と、
前記顧客側端末へ送信したウェブページを介して前記顧客側端末から暗号化された商品代金振替要求の情報を受信し、その商品代金振替要求の情報を復号し、前記顧客側口座から前記店舗側口座への商品代金振替決済を行う手段と、
その商品代金振替決済の情報を前記店舗側口座情報のウェブページを介して前記レジスター装置に送信し、店舗の販売員に確認させるための手段とを備える
ことを特徴とする電子決済システム。
【請求項２】
請求項１記載の電子決済システムに用いられるレジスター装置であって、
販売する商品に関するコード情報を表示するための、当該レジスター装置の筐体の顧客側に面した位置に取り付けられた第１の表示装置と、
前記ネット銀行サーバが送信する店舗側口座情報のウェブページを表示するための、当該レジスター装置の筐体の販売員側に面した位置に取り付けられた第２の表示装置と、
前記第１の表示装置に販売する商品に関するコード情報をバーコードまたは二次元バーコードを用いて表示し、前記第２の表示装置に前記ネット銀行サーバからインターネット回線網を利用して受信した店舗側口座情報のウェブページを表示する情報処理手段とを備える
ことを特徴とするレジスター装置。
【請求項３】
インターネット回線網を利用して通信可能な、販売者のウェブページを出力するウェブページ出力装置と顧客側端末と口座振替の為のネット銀行サーバとを有する電子決済システムであって、
前記ウェブページ出力装置は、
顧客に対して販売する商品に関する情報をバーコードまたは二次元バーコードを用いて記載する商品販売のための情報をウェブページへインターネット回線網を利用して送信する情報処理手段を備え、
前記顧客側端末は、
前記ウェブページ出力装置から受信して顧客が持つ装置に表示したウェブページの表示画面から前記商品に関するコード情報を読み取るためのコード情報読取手段と、
前記コード情報読取手段により読み取ったコード情報を数字に変換し、その変換した情報に基づきＰＫＩを利用して暗号化した、商品代金振替要求の情報を、前記ネット銀行サーバが顧客に対して提供するウェブページを介して、前記ネット銀行サーバへインターネット回線網を利用して送信する情報処理手段とを備え、
前記ネット銀行サーバは、
前記販売者側口座および前記顧客側口座の情報が記録された口座データベースと、
前記顧客側端末に対しインターネット回線網を利用して口座振替要求のための入力画面情報をウェブページへ表示させ送信する手段と、
インターネット回線網を利用して送信したウェブページを介して前記顧客側端末から暗号化された商品代金振替要求の情報を受信し、その商品代金振替要求の情報を復号し、前記顧客側口座から前記販売者側口座への商品代金振替決済を行う手段とを備える
ことを特徴とする電子決済システム。
【手続補正２】
【補正対象書類名】明細書
【補正対象項目名】００３８
【補正方法】変更
【補正の内容】
【００３８】
ステップ５では、情報処理手段２２が商品情報符号を図形データから数値データに変換して、店舗に対して支払う商品代金の情報と店舗の口座情報とを、通信手段２３を用いて代金振替要求情報に含めてネット銀行等サーバ１に対して送信する。このとき、情報処理手段２２と通信手段２３が組み合わされることで、支払い要求手段として機能することになる。代金振替要求情報の送信に際しては、代金振替要求情報を暗号化してネット銀行等サーバ１に送信するとしてもよいが、ネット銀行等サーバ１が提供するウェブページの暗号化を用いて通信を行うとしてもよい。携帯電話端末２とネット銀行等サーバ１との間は、無線情報通信やインターネットなどの有線情報通信網によって接続されているため、盗聴や成りすましなどの不正行為や情報の欠落を防止するために、例えば公開鍵基盤ＰＫＩ（Public Key Infrastructure ）などを用いることで電子決済システムの確実性と秘匿性を向上さ
せることが可能となる。また、無線情報通信部分にはIEEE802.11i 規格を用いるなどしてもよい。
【手続補正３】
【補正対象書類名】明細書
【補正対象項目名】００５３
【補正方法】変更
【補正の内容】
【００５３】
ステップ１５では、情報処理手段２２が商品情報符号を図形データから数値データに変換して、店舗に対して支払う商品代金の情報と店舗の口座情報とを、通信手段２３を用いて代金振替要求情報に含めてネット銀行等サーバ１に対して送信する。このとき、情報処理手段２２と通信手段２３が組み合わされることで、支払い要求手段として機能することになる。代金振替要求情報の送信に際しては、代金振替要求情報を暗号化してネット銀行等サーバ１に送信するとしてもよいが、ネット銀行等サーバ１が提供するウェブページの暗号化を用いて通信を行うとしてもよい。携帯電話端末２とネット銀行等サーバ１との間は、無線情報通信やインターネットなどの有線情報通信網によって接続されているため、盗聴や成りすましなどの不正行為や情報の欠落を防止するために、例えば公開鍵基盤ＰＫＩ（Public Key Infrastructure ）などを用いることで電子決済システムの確実性と秘匿性を向上させることが可能となる。また、無線情報通信部分にはIEEE802.11i 規格を用いるなどしてもよい。
【手続補正４】
【補正対象書類名】明細書
【補正対象項目名】００６３
【補正方法】変更
【補正の内容】
【００６３】
次に、本発明の電子決済システムの他の実施の形態として、上述したレジスター装置の代わりにプログラム電子情報を扱う情報処理手段を持つ装置を用いる例を示す。この装置では、インターネットを利用してアクセスしたオンラインショッピングサイトから受信したウェブページの画面上に商品と値段、および二次元バーコードなどの商品情報符号を表示する。
【手続補正５】
【補正対象書類名】明細書
【補正対象項目名】００６５
【補正方法】変更
【補正の内容】
【００６５】
プログラム電子情報は例えば、パーソナルコンピュータ等の映像を表示する装置上で動作し、オンラインショッピングサイト上で販売している商品の説明と共に、バーコードや二次元バーコード等の商品情報符号を表示する。また、プログラム電子情報はオンラインショッピングサイトが提供するウェブページやプログラムなどの電子情報である。
【手続補正６】
【補正対象書類名】明細書
【補正対象項目名】００６７
【補正方法】変更
【補正の内容】
【００６７】
前述したようにネット銀行等サーバ１での口座決済が行われる。従って、オンラインショッピングサイトから送信されたウェブページの画面上でプログラム電子情報が商品の情報を符号化して表示することにより、顧客側端末である携帯電話端末２では瞬時に代金振替の為の商品情報符号の読み取り、ネット銀行等サーバ１に対して代金振替要求を送信するだけで簡便かつ迅速に代金振替決済を行うことができ、商品購入時の利便性を向上させることが可能である。